(57)【要約】【課題】本発明は、内部に塵埃が侵入するのを抑制し、記録ディスクメディアの高密度記録化を図る。【解決手段】本発明は、アクセス用開口部を有するカートリッジケース内で回動してアクセス用開口部を開閉するロータリシャッタ２０を備えドライブ装置に挿入されて使用される記録ディスクカートリッジ１において、記録ディスクメディア３０の回転によって生じるカートリッジケース１０の上面の旋回空気流が、アクセス用開口部１０１に流入するのを遮る突出部１１Ａをカートリッジケース１０の上面に設けた。【選択図】図１
2007164945.tif 000002
【特許請求の範囲】
【請求項１】
記録ディスクメディアと、
前記記録ディスクメディアを収容するとともに前記記録ディスクメディアを外部に臨ませるアクセス用開口部を有するカートリッジケースと、
前記カートリッジケース内で回動して前記アクセス用開口部を開閉する円盤形状のロータリシャッタと、を備え、
ドライブ装置に挿入されて使用される記録ディスクカートリッジであって、
前記記録ディスクメディアの回転によって生じる前記カートリッジケース上面の旋回空気流が、前記アクセス用開口部に流入するのを遮る突出部を前記カートリッジケースの上面に設けたことを特徴とする記録ディスクカートリッジ。
【請求項２】
前記突出部は、前記アクセス用開口部に対して、少なくとも前記旋回空気流が流入する側に設けられていることを特徴とする請求項１に記載の記録ディスクカートリッジ。
【請求項３】
前記突出部は、前記カートリッジケースの上面に段差部を突出形成してなることを特徴とする請求項１または請求項２に記載の記録ディスクカートリッジ。
【請求項４】
前記突出部は、前記カートリッジケースの上面にシート状部材を取り付けてなることを特徴とする請求項１または請求項２に記載の記録ディスクカートリッジ。
【請求項５】
前記突出部は、前記旋回空気流を、前記アクセス用開口部に対して、前記旋回空気流の上流側から前記旋回空気流の下流側へ迂回させる空気流路を前記カートリッジケースの上面に形成することを特徴とする請求項１から請求項４のいずれか１項に記載の記録ディスクカートリッジ。
【発明の詳細な説明】
【技術分野】
【０００１】
本発明は、記録ディスクカートリッジに関し、より詳しくは記録ディスクメディアと、記録ディスクメディアを収容するカートリッジケースとを備える記録ディスクカートリッジに関する。
【背景技術】
【０００２】
従来、ポリエステルシートなどからなる円盤状の支持体の両面に磁性層を形成したフレキシブルな磁気ディスクメディアや、光記録ディスクメディア、相変化ディスクメディアなどの記録ディスクメディアをカートリッジケースに収容した記録ディスクカートリッジが知られている。これらの記録ディスクメディアは、年々、高密度記録化されており、その記録トラック幅はより狭くなってきていると共にその記録長はより短くなってきている。
【０００３】
従来の記録ディスクカートリッジとしては、例えば特許文献１に記載のものが知られている。ここで、図１１（ａ）は、従来の記録ディスクカートリッジの上側を前方左側から見下ろした様子を示す図、図１１（ｂ）は、この記録ディスクカートリッジを構成するロータリシャッタの分解斜視図である。図１１（ａ）に示すように、従来の記録ディスクカートリッジ８００は、その外観が厚さの薄い略直方体であって、カートリッジケース８１０の内部に回動可能に配置されたロータリシャッタ８２０と、このロータリシャッタ８２０の内部に回転自在に配置された記録ディスクメディア８３０とを備えている。この記録ディスクカートリッジ８００では、薄さを確保するために、カートリッジケース８１０とロータリシャッタ８２０とが金属プレートに折り曲げ加工を施すことによって形成されている。ロータリシャッタ８２０は、図１１（ｂ）に示すように、上シャッタ８２３と下シャッタ８２４とを備える。
この記録ディスクカートリッジ８００では、図示しない専用のドライブ装置に装填された際に、ロータリシャッタ８２０が回動することでロータリシャッタ８２０の切欠部８２１がカートリッジケース８１０のアクセス用開口部８１３と重なり合って、記録ディスクメディア８３０が外部に臨むようになっている。つまり、非使用時には、ロータリシャッタ８２０がアクセス用開口部８１３を覆っており、記録ディスクカートリッジ８００内に塵埃が侵入することが防止されるようになっている。
【特許文献１】米国特許第６２５６１６８号明細書
【発明の開示】
【発明が解決しようとする課題】
【０００４】
ところで、前記従来の記録ディスクカートリッジ８００をドライブ装置に装填して、記録再生のために記録ディスクメディア８３０を回転させると、記録ディスクメディア８３０の回転によって記録ディスクカートリッジ８００の上面には、記録ディスクメディア８３０の回転方向に旋回空気流が生じる。このような旋回空気流が生じると、ドライブ装置の記録ディスクカートリッジ８００の装填口に形成された隙間を通じて、ドライブ装置内に外部からの空気が流れ込むという現象を生じ易く、流れ込んだ空気が旋回空気流にのってアクセス用開口部８１３から記録ディスクカートリッジ８００内に流れ込み、記録ディスクカートリッジ８００内に塵埃が侵入するおそれがあった。このような塵埃の侵入が生じると、データの記録再生時にエラーが発生するおそれがあった。
【０００５】
このような背景に鑑みて本発明がなされたのであり、本発明は、内部に塵埃が侵入するのを抑制することができ、記録ディスクメディアの高密度記録化を図ることができる記録ディスクカートリッジを提供することを課題とする。
【課題を解決するための手段】
【０００６】
前記課題を解決する本発明は、記録ディスクメディアと、前記記録ディスクメディアを収容するとともに前記記録ディスクメディアを外部に臨ませるアクセス用開口部を有するカートリッジケースと、前記カートリッジケース内で回動して前記アクセス用開口部を開閉する円盤形状のロータリシャッタと、を備え、ドライブ装置に挿入されて使用される記録ディスクカートリッジであって、前記記録ディスクメディアの回転によって生じる前記カートリッジケース上面の旋回空気流が、前記アクセス用開口部に流入するのを遮る突出部を前記カートリッジケースの上面に設けたことを特徴とする。
【０００７】
この記録ディスクカートリッジでは、記録ディスクメディアの回転によって生じるカートリッジケース上面の旋回空気流が、カートリッジケースの上面に設けられた突出部により一部を除いて遮られることとなり、これによって、記録再生のために開口されたアクセス用開口部に対して流入することが抑制される。これにより、ドライブ装置の記録ディスクカートリッジの装填口に形成された隙間を通じて、仮に、塵埃がドライブ装置内に流れ込んだとしても、これがアクセス用開口部から記録ディスクカートリッジ内に侵入することが抑制されるようになる。したがって、データの記録再生時にエラーが発生するのを好適に防止することができる。
【０００８】
また、このような記録ディスクカートリッジにおいては、前記突出部は、前記アクセス用開口部に対して、少なくとも前記旋回空気流が流入する側に設けられている構成とするのがよい。
このような構成とすることにより、旋回空気流が流入する側で塵埃を効果的に遮断することができる。
【０００９】
また、前記突出部は、前記カートリッジケースの上面に段差部を突出させて形成することにより構成してもよく、また、前記カートリッジケースの上面にシート状部材を取り付けることにより構成してもよい。
このような記録ディスクカートリッジによれば、カートリッジケースに最小限の変更を加えることにより突出部を簡単に設けて、塵埃の侵入の抑制を図ることができる。
【００１０】
また、前記突出部は、前記旋回空気流を、前記アクセス用開口部に対して、前記旋回空気流の上流側から前記旋回空気流の下流側へ迂回させる空気通路を形成するように構成してもよい。
【００１１】
このような記録ディスクカートリッジによれば、突出部により、旋回空気流が、アクセス用開口部に対して旋回空気流の上流側から旋回空気流の下流側へ迂回されるので、旋回空気流がアクセス用開口部に流れるのをより一層効果的に抑制することができる。
【発明の効果】
【００１２】
本発明の記録ディスクカートリッジによれば、塵埃が侵入するのを抑制することができ、記録ディスクメディアの高密度記録化を図ることができる。
【発明を実施するための最良の形態】
【００１３】
本発明を実施するための最良の形態について図面を参照して詳細に説明する。
参照する図面において、図１は、本実施形態に係る記録ディスクカートリッジを示す斜視図であり、（ａ）は、この記録ディスクカートリッジの上側を見下ろした様子を示す図、（ｂ）は、この記録ディスクカートリッジの下側を見上げた様子を示す図である。図２は、図１の記録ディスクカートリッジの分解斜視図である。図３は、図１の記録ディスクカートリッジの模式図であり、（ａ）は、記録ディスクカートリッジの上側を後方から見下ろした様子を示す図、（ｂ）は、この記録ディスクカートリッジの模式平面図である。図４は、図１の記録ディスクカートリッジを構成する下シェル及びハブ孔シャッタを取り外したときの記録ディスクカートリッジの下側の様子を示す図である。なお、本実施形態において方向を説明する場合は、図１に示す前、後、左、右、上、下を基準として説明する。また、図４中、下シェルのガイド溝及びハブ孔シャッタは、便宜上、仮想線（二点鎖線）で表わしている。
【００１４】
図１（ａ）及び（ｂ）に示すように、本実施形態に係る記録ディスクカートリッジ１は、その外観が板状体であって、平面視で前側の輪郭が円弧状（アーチ状）となるように、そして後側の輪郭が略矩形となるように形成されている。この記録ディスクカートリッジ１は、後記する専用のドライブ装置Ｄ（図６参照）に、その前側から挿入されて使用される。ちなみに、記録ディスクカートリッジ１の後端は、その中間部が後方に膨らんでおり、記録ディスクカートリッジ１をドライブ装置Ｄ（図６参照）に対して出し入れする際に把持し易くなっている。
【００１５】
この記録ディスクカートリッジ１は、図１（ａ）に示すように、カートリッジケース１０と、このカートリッジケース１０の内部に回動可能に配置されたロータリシャッタ２０と、このロータリシャッタ２０の内部に回転自在に配置された記録ディスクメディア３０と、カートリッジケース１０の内部であってロータリシャッタ２０の下方に配置されたハブ孔シャッタ４０（図１（ｂ）参照）とを備えている。
【００１６】
＜カートリッジケース＞
カートリッジケース１０は、図１（ａ）及び（ｂ）に示すように、厚さの薄い箱状体であって、記録ディスクカートリッジ１の略外形を構成している。つまり、カートリッジケース１０は、前側が平面視で円弧（アーチ）状に形成されるとともに、後側、左側及び右側が平面視で略直線状に形成されている。このカートリッジケース１０の前側左寄りには、カートリッジケース１０内に収容された記録ディスクメディア３０を外部に臨ませるためのアクセス用開口部１０１が形成されている。そして、アクセス用開口部１０１は、後記するドライブ装置Ｄ（図６参照）のスイングアームＳＡ（図６参照）の動作に干渉しないように、平面視でくさび形状となっている。
【００１７】
このようなカートリッジケース１０は、図２に示すように、互いに対向して配置される金属製の上シェル１１及び下シェル１２と、この上シェル１１及び下シェル１２の間に介在してカートリッジケース１０の周壁となる合成樹脂製のフレーム部材１３とを備えて構成されている。ここでは、上シェル１１及び下シェル１２、並びにフレーム部材１３の順番で以下に説明する。
【００１８】
上シェル１１及び下シェル１２は、金属プレートを後記するように折り曲げ加工して形成されたものである。上シェル１１は、図２に示すように、主にカートリッジケース１０の上壁を構成し、下シェル１２は、主にカートリッジケース１０の平坦な下壁を構成している。このような上シェル１１及び下シェル１２のそれぞれには、アクセス用開口部１０１に対応する形状でアクセス用開口部１１１，１２１が形成されている。
【００１９】
上シェル１１の上面には、本実施形態の記録ディスクカートリッジ１の特徴的構成である突出部１１Ａが設けられている。突出部１１Ａは、図３（ａ）及び（ｂ）に示すように、上シェル１１の前側部分であるアクセス用開口部１０１が形成される側をプレス加工等により上方へ突出成形することにより形成される。このように形成された突出部１１Ａと上シェル１１の平坦部１１Ｂとの境界部分には、平面視湾曲形状（図３（ｂ）参照）となる段部（壁）１１Ｃが形成されている。この段部１１Ｃは、記録ディスクメディア３０の回転によって生じる上シェル１１の上面の旋回空気流を、アクセス用開口部１０１へ向かう方向Ｎ１からアクセス用開口部１０１を迂回する方向Ｎ２へ導く役割を果たすものであり、旋回空気流がアクセス用開口部１０１に流入するのを一部を除いて遮るようになっている。つまり、突出部１１Ａの段部１１Ｃは、旋回空気流を、アクセス用開口部１０１に対して、旋回空気流の上流側から旋回空気流の下流側へ迂回する空気流路を形成している。
【００２０】
具体的には、図３（ｂ）に示すように、アクセス用開口部１０１に対して上流側となる部位Ｂ１（アクセス用開口部１０１の図中右側となる部分）では、段部１１Ｃがカートリッジケース１０の前側へ向けて湾曲凹状に形成されており、また、この部位Ｂ１からアクセス用開口部１０１に対して下流側となる部位Ｂ２（アクセス用開口部１０１の図中略左側となる部分）にかけては、段部１１Ｃがカートリッジケース１０の前側へ向けて緩やかに湾曲する形状に形成されている。換言すれば、段部１１Ｃは、アクセス用開口部１０１に対して上流側が下流側に比べて曲率が小さい湾曲形状に形成されている。なお、段部１１Ｃは、アクセス用開口部１０１に対して上流側から下流側に向かうにしたがって次第に曲率が大きくなる湾曲形状となるように形成してもよいし、上流側から下流側にかけて直線状となるように形成してもよい。
【００２１】
上シェル１１は、図２に示すように、その左側に、折り曲げ加工して形成された平面視で直線状の折り曲げ部１１２ｄを有しており、その右側に、折り曲げ部１１２ｃを有している。下シェル１２は、その左側に、平面視で直線状の折り曲げ部１２２ｄを有しており、その右側に、折り曲げ部１２２ｃを有している。そして、下シェル１２の折り曲げ部１２２ｄ，１２２ｃが上シェル１１の折り曲げ部１１２ｄ，１１２ｃの内側に配置されるように、上シェル１１と下シェル１２とが組み合わされてカートリッジケース１０が形成されることとなる。このようなカートリッジケース１０では、上シェル１１の折り曲げ部１１２ｄ，１１２ｃと下シェル１２の折り曲げ部１２２ｄ，１２２ｃとが互いに隙間なく重なり合ってカートリッジケース１０の左右両側における直線状の周壁の一部を構成している。
【００２２】
そして、上シェル１１の中央部には、図２に示すように、ロータリシャッタ２０を回動可能に止め付けるセンタピン５０と係合する係合孔１１３が形成されている。
【００２３】
一方、下シェル１２の中央部には、記録ディスクメディア３０のハブ３２を外部に臨ませるハブ孔１２３が形成されている。そして、記録ディスクカートリッジ１がドライブ装置Ｄ（図６参照）に装填された際に、ドライブ装置Ｄのスピンドル（図示省略）が、このハブ孔１２３を介してハブ３２と係合することとなる。
また、下シェル１２は、ロータリシャッタ２０のシャッタノブ２４の軌道に沿って形成されたガイド孔１２４と、ハブ孔シャッタ４０を軸支するための内側（記録ディスクメディア３０側）に突出した２つの回動軸部１２５ａ，１２５ｂとを有している。
このような上シェル１１及び下シェル１２は、例えばステンレス鋼などの金属プレートに打ち抜き加工、及び前記した折り曲げ加工を施すことによって形成される。
【００２４】
フレーム部材１３は、図２に示すように、カートリッジケース１０の前側における周壁の一部を構成するアーチ状フレーム１３１と、主に後側の周壁を構成するベースフレーム１３２と、左側の周壁の一部を構成するＶノッチ部材１３３とを備えて構成されている。
【００２５】
図４に示すように、アーチ状フレーム１３１の内壁面１３１ａは、ロータリシャッタ２０の外形に沿うように平面視で略円弧状になっており、アーチ状フレーム１３１の外壁面１３１ｂは、カートリッジケース１０の前側の輪郭を形成するように平面視で円弧状（アーチ状）になっている。そして、ベースフレーム１３２の内壁面１３２ａは、記録ディスクメディア３０の外縁に沿うように平面視で円弧状（アーチ状）になっており、ベースフレーム１３２の外壁面１３２ｂはカートリッジケース１０の後側の輪郭を形成するように平面視で略直線状になっている。
【００２６】
アーチ状フレーム１３１の内壁面１３１ａには、後記するロック片７０を係止する係合溝１３１ｅが形成されている。この係合溝１３１ｅは、記録ディスクカートリッジ１の右側で開口している。
【００２７】
Ｖノッチ部材１３３は、図４に示すように、ロータリシャッタ２０を閉位置で止めるストッパとしての役割と、ドライブ装置Ｄ（図６参照）との係合部としての役割とを担う部材であって、記録ディスクカートリッジ１の左側における直線部の前端に位置している。
【００２８】
以上のような上シェル１１及び下シェル１２とフレーム部材１３とは、例えば、かしめ、接着、ネジ止め等の公知の技術によって、それぞれ固定される。
【００２９】
＜ロータリシャッタ＞
ロータリシャッタ２０は、アクセス用開口部１０１（図１（ａ）及び（ｂ）参照）を開閉するためのシャッタであって、図５に示すように、略円盤形状に形成されている。このロータリシャッタ２０は、中空構造を有しており、その内部には記録ディスクメディア３０が回転自在に収容されている。そして、ロータリシャッタ２０は、アクセス用開口部１０１（図１（ａ）（ｂ）参照）と略同形状の切欠部２０１を有しており、この切欠部２０１で記録ディスクメディア３０の一部が露出している。
【００３０】
再び図２を参照すると、ロータリシャッタ２０は、金属プレートからなる略円形の上シャッタ２１及び下シャッタ２２と、これらの間に配置された合成樹脂製のシャッタウォール２３とを備えて構成されている。ここでは、上シャッタ２１及び下シャッタ２２、並びにシャッタウォール２３の順番で以下に説明する。
【００３１】
上シャッタ２１及び下シャッタ２２は、例えばアルミニウム合金からなる金属プレートを打ち抜き加工して形成されたものである。上シャッタ２１は、図２に示すように、主にロータリシャッタ２０の平坦な上壁を構成し、下シャッタ２２は、主にロータリシャッタ２０の平坦な下壁を構成している。上シャッタ２１には、上シェル１１の係合孔１１３に対応する位置に挿通孔２１２が形成されている。このような上シャッタ２１及び下シャッタ２２のそれぞれには、切欠部２０１に対応する形状で切欠部２１１，２２１が形成されている。そして、図５（ａ）及び（ｂ）に示すように、それぞれの切欠部２１１及び切欠部２２１が揃うように上シャッタ２１と下シャッタ２２とが組み合わせられることで、ロータリシャッタ２０の切欠部２０１が形成されることとなる。
【００３２】
下シャッタ２２の中央部には、図５（ｂ）に示すように、記録ディスクメディア３０のハブ３２を外部に臨ませるハブ孔２２２が形成されている。ちなみに、本実施形態でのハブ孔２２２は、下シェル１２（図２参照）のハブ孔１２３（図２参照）と略同径になっている。そして、記録ディスクカートリッジ１がドライブ装置Ｄ（図６参照）に装填された際に、このハブ孔２２２と前記したカートリッジケース１０（図２参照）のハブ孔１２３（図２参照）とを介して、ドライブ装置Ｄのスピンドル（図示省略）が、ハブ３２に係合することとなる。
【００３３】
下シャッタ２２の下側には、ロータリシャッタ２０を回動させるためのシャッタノブ２４が取り付けられている。このシャッタノブ２４は、図１（ｂ）に示すように、カートリッジケース１０の下シェル１２に形成されたガイド孔１２４を介して、記録ディスクカートリッジ１の下側から突出している。
【００３４】
また、下シャッタ２２の下側には、図５（ｂ）に示すように、後記するハブ孔シャッタ４０（図２参照）の係合長孔４１３（図２参照）に係合する係合突起２２３ａと、係合長孔４２３（図２参照）に係合する係合突起２２３ｂとが立設されている。
【００３５】
そして、下シャッタ２２は、図２に示すように、その一部が上側に折り曲げ加工されることで形成されたロック片７０を備えている。このロック片７０は、ロータリシャッタ２０を閉位置でロックするためのものである。ロック片７０は、図５（ａ）に示すように、上シャッタ２１と下シャッタ２２とが組み合わせられてロータリシャッタ２０が形成された際に、ロータリシャッタ２０の周壁部２０ａからその略接線方向に延出する細長の金属片である。このロック片７０の先端部７１は、周壁部２０ａ側に向かってやや屈曲している。ちなみに、このロック片７０はバネ弾性を有している。
なお、図２に示すように、前記した上シャッタ２１及び下シャッタ２２のそれぞれの内側（記録ディスクメディア３０側）には、記録ディスクメディア３０をクリーニングするとともに、記録ディスクメディア３０を保護する不織布等からなるライナ６０が設けられている。
【００３６】
シャッタウォール２３は、図２に示すように、ロータリシャッタ２０の上シャッタ２１及び下シャッタ２２の周縁に沿って延びるように配置されてロータリシャッタ２０の周壁部２０ａ（図５（ａ）参照）を構成する部材である。このシャッタウォール２３は、ロータリシャッタ２０の切欠部２０１に相当する部分が切り欠かれた、平面視で「Ｃ」字形状（切欠リング状）の部材であって、合成樹脂で形成されている。
【００３７】
このようなロータリシャッタ２０は、図２に示すように、上シェル１１の係合孔１１３に、上シャッタ２１の挿通孔２１２に挿通されたセンタピン５０が固定されることで、センタピン５０の周りに回動可能にカートリッジケース１０内に収容されることとなる。
【００３８】
そして、カートリッジケース１０内でのロータリシャッタ２０は、図４に示すように、閉方向Ａ１に付勢されている。なお、この付勢手段としては、バネを有する公知の構造のものでよく、例えば、前記した特許文献１等に記載のものを使用することができる。そして、このように閉方向Ａ１に付勢されたロータリシャッタ２０は、Ｖノッチ部材１３３に当接することで閉位置に配置されてアクセス用開口部１０１（図１（ａ）（ｂ）参照）を閉じることとなる。ちなみに、本発明において、前記付勢手段は必須の構成要素ではなく、後記するように、ドライブ装置Ｄ（図６参照）から記録ディスクカートリッジ１を抜き出す際に、ロータリシャッタ２０が閉方向Ａ１に回動するように、ドライブ装置Ｄ側にシャッタノブ２４の係止手段を設けることによって、前記付勢手段は省略することができる。
【００３９】
また、このような閉位置に配置されたロータリシャッタ２０では、ロック片７０の先端部７１が、アーチ状フレーム１３１の係合溝１３１ｅに嵌り込むことで、ロータリシャッタ２０の回動を制止している。そして、この先端部７１は、記録ディスクカートリッジ１の右側で開口している係合溝１３１ｅで外部に臨んでいる。
【００４０】
＜記録ディスクメディア＞
記録ディスクメディア３０は、データを記録する記録媒体であり、図２に示すように、フレキシブルディスク３１と、このフレキシブルディスク３１を支持するハブ３２とを備えて構成されている。
【００４１】
フレキシブルディスク３１は、例えば、ポリエステルシート等からなる円盤状の支持体の両面に磁性層等の記録層を形成したものである。
【００４２】
ハブ３２は、フレキシブルディスク３１を支持する金属製の円盤状部材である。また、ハブ３２は、上面にフレキシブルディスク３１の取り付け部（図示省略）を備えると共に、下面にドライブ装置Ｄ（図６参照）のスピンドル（図示省略）にチャックされるチャック部３２１（図５（ｂ）参照）を備えている。
【００４３】
＜ハブ孔シャッタ＞
ハブ孔シャッタ４０は、図２に示すように、板状の第１シャッタ４１と第２シャッタ４２とで構成されている。このハブ孔シャッタ４０は、図４に示すように、ハブ３２を両側から挟み付けるようにしてハブ孔１２３（図４中、ハブ孔２２２と重なって見える）のハブ３２周りで形成される隙間を閉じるシャッタである。
【００４４】
第１シャッタ４１は、図２に示すように、その一端部に形成された軸孔４１１に下シェル１２の回動軸部１２５ａが差し込まれることで、回動軸部１２５ａ周りで回動可能になっている。また、第２シャッタ４２は、その一端部に形成された軸孔４２１に下シェル１２の回動軸部１２５ｂが差し込まれることで、回動軸部１２５ｂの周りで回動可能になっている。そして、第１シャッタ４１及び第２シャッタ４２のそれぞれの他端部には、ハブ３２の径に合わせ込むように切り欠かれた半円形の切欠４１２，４２２が形成されている。
【００４５】
また、図４に示すように、第１シャッタ４１には、下シャッタ２２の係合突起２２３ａが係合する係合長孔４１３が形成されており、第２シャッタ４２には、係合突起２２３ｂが係合する係合長孔４２３が形成されている。ちなみに、ロータリシャッタ２０が閉位置に配置されている際には、係合突起２２３ａが係合長孔４１３の後端側に位置し、係合突起２２３ｂが係合長孔４２３の前端側に位置している。
【００４６】
なお、係合長孔４１３，４２３の平面視における形状は、後記するように、ロータリシャッタ２０と一体に回動する係合突起２２３ａ，２２３ｂの回動により、第１シャッタ４１及び第２シャッタ４２が回動し、ハブ孔シャッタ４０が前記した隙間を開閉するように設計されている。
【００４７】
次に、記録ディスクカートリッジ１の動作について適宜図面を参照しながら説明しつつ、記録ディスクカートリッジ１の作用効果について説明する。参照する図面において、図６は、図１の記録ディスクカートリッジをドライブ装置に装填する際の記録ディスクカートリッジの動作を説明するための斜視図であり、記録ディスクカートリッジの下側を見上げた様子を示す図である。
【００４８】
図６に示すように、ドライブ装置Ｄに挿入される前（通常時）の記録ディスクカートリッジ１では、ロータリシャッタ２０が前記した閉位置に配置されることでアクセス用開口部１０１が閉じている。そして、ハブ孔シャッタ４０は、ハブ孔１２３のハブ３２周りで形成される隙間Ｓを閉じている。そのため、アクセス用開口部１０１や前記した隙間Ｓから記録ディスクカートリッジ１内に塵埃が入り込むことが防止されるとともに、記録ディスクメディア３０が外部に露出しないので汚損されることが防止される。このとき、図４に示すように、ロック片７０の先端部７１は、アーチ状フレーム１３１の係合溝１３１ｅに係合しているので、ロータリシャッタ２０は回動しない。したがって、ロータリシャッタ２０が不用意に回動して、アクセス用開口部１０１や前記した隙間Ｓが開かれることが防止される。なお、このようにロータリシャッタ２０が閉位置に配置される場合、シャッタノブ２４は、下シェル１２のガイド孔１２４の前方に位置している。
【００４９】
そして、図６に示すように、記録ディスクカートリッジ１がドライブ装置Ｄに挿入されると、ドライブ装置Ｄ内のロック解除ピン（図示省略）が、図４に示すロック片７０の先端部７１を内側方向Ａ６に押圧する。その結果、ロック片７０と係合溝１３１ｅとの係合が解除されることで、ロータリシャッタ２０が回動可能となる。
【００５０】
その一方で、シャッタノブ２４は、ドライブ装置Ｄのシャッタノブ係止部Ｄ１に当接する。そして、記録ディスクカートリッジ１をさらに挿入していくにしたがって、シャッタノブ２４は、図４に示すように、ガイド孔１２４内を後方向Ａ２に向かって移動する。その結果、シャッタノブ２４が後方向Ａ２に移動するにしたがって、ロータリシャッタ２０は、カートリッジケース１０内でセンタピン５０（図２参照）の周りに周方向Ａ３に回動する。つまり、このようなロータリシャッタ２０の回動に伴って、アクセス用開口部１０１が、ドライブ装置Ｄ内で徐々に開いていく。
【００５１】
このようにドライブ装置Ｄに記録ディスクカートリッジ１が挿入されていく際に、ロータリシャッタ２０が、前記したように閉方向Ａ１に向かって回動すると、下シャッタ２２の係合突起２２３ａが、周方向Ａ４に向かって回動するとともに、係合突起２２３ｂが、周方向Ａ４に向かって回動する。その結果、係合突起２２３ａが係合長孔４１３内を後端側に向かって移動することで、第１シャッタ４１は、切欠４１２がハブ３２から離れる方向Ａ５に向かって回動軸部１２５ａ周りに回動する。そして、係合突起２２３ｂが係合長孔４２３内を前端側に向かって移動することで、第２シャッタ４２は、切欠４２２がハブ３２から離れる方向Ａ５に向かって回動軸部１２５ｂ周りに回動する。その結果、ハブ孔シャッタ４０によるハブ３２の挟持状態が解除されるので、ドライブ装置Ｄのスピンドル（図示省略）によるハブ３２の回転が阻害されることがない。
【００５２】
そして、ドライブ装置Ｄ内で記録ディスクメディア３０が回転を開始し、ドライブ装置ＤのスイングアームＳＡのヘッドが、アクセス用開口部１０１に移動して、記録ディスクメディア３０に対し書き込み／読み取りが行われる。このとき、記録ディスクメディア３０の回転によって、記録ディスクカートリッジ１の上面（上シェル１１の上面）には、記録ディスクメディア３０の回転方向に部分的に沿うかたちで旋回空気流が生じる。このような旋回空気流が生じると、図７に示すように、ドライブ装置Ｄにおける記録ディスクカートリッジ１の装填口Ｄ２に形成された隙間を通じて、外部からの空気がドライブ装置Ｄ内に引き込まれるという空気の流れを生じる。
【００５３】
外部から引き込まれた空気は、旋回空気流にのってアクセス用開口部１０１へ向かう流れをたどるが、その途中で、記録ディスクカートリッジ１の上シェル１１の上面に設けられた突出部１１Ａの段部１１Ｃによって遮られ、アクセス用開口部１０１へ向かう方向Ｎ１からアクセス用開口部１０１を迂回する方向Ｎ２へ導かれる。つまり、外部から引き込まれた空気は、アクセス用開口部１０１の上流側から下流側へ迂回されるようになり、その一部を除いて、アクセス用開口部１０１に流れ込む空気流が抑制される。
【００５４】
段部１１Ｃに沿って方向Ｎ２へ向けて導かれた空気流は、ドライブ装置Ｄの記録ディスクカートリッジの装填口Ｄ２に形成された隙間を通じて再びドライブ装置Ｄの外部に流れ出ることとなる。したがって、ドライブ装置Ｄの装填口Ｄ２に形成された隙間を通じて、仮に、塵埃がドライブ装置Ｄ内に流れ込んだとしても、塵埃は、アクセス用開口部１０１の上流側から下流側へ迂回されて最終的にドライブ装置Ｄの外に排出されるようになる。これにより、塵埃がアクセス用開口部１０１から記録ディスクカートリッジ１内に侵入することが抑制される。
【００５５】
なお、記録ディスクカートリッジ１がドライブ装置Ｄから取り出される際の動作を図６を参照して説明すると、取り出す操作によりロータリシャッタ２０が付勢手段（図示省略）によって閉方向Ａ１に向かって回動し、前記した閉位置に戻る。そして、このロータリシャッタ２０の回動に伴って、係合突起２２３ａが係合長孔４１３内を前端側に向かって移動し、係合突起２２３ｂが係合長孔４２３内を後端側に向かって移動することで、ハブ孔シャッタ４０は、前記した隙間Ｓを閉じる。そして、このようにロータリシャッタ２０が閉位置に戻ると、前記したようにロック片７０がロータリシャッタ２０をロックすることで、ロータリシャッタ２０の回動は制止される。
【００５６】
なお、本実施形態では、ロータリシャッタ２０を閉方向Ａ１に付勢する付勢手段（図示省略）を有する記録ディスクカートリッジ１を例示しているが、本発明は付勢手段を省略したものであってもよい。この記録ディスクカートリッジ１では、例えば、スロット（図示省略）の近傍にシャッタノブ２４の係止手段（例えば、シャッタノブ２４のクランプ装置）を備えるドライブ装置Ｄを使用することによって、このドライブ装置Ｄへの挿入時には、係止手段でシャッタノブ２４が係止されることで、ロータリシャッタ２０がアクセス用開口部１０１を開き、ハブ孔シャッタ４０がハブ孔１２３を開く。そして、ドライブ装置Ｄから記録ディスクカートリッジ１を引き抜く際には、係止手段でシャッタノブ２４が係止されているので、ロータリシャッタ２０がアクセス用開口部１０１を閉じるとともに、ハブ孔シャッタ４０がハブ孔１２３を閉じる。この際、係止手段がシャッタノブ２４を係止する強さは、ロータリシャッタ２０を回動させるには充分であり、シャッタノブ２４の係止を操作者が容易に解除できる程度に設定される。
【００５７】
以上説明した本実施形態の記録ディスクカートリッジによれば、記録ディスクメディア３０の回転によって生じるカートリッジケース１０の上面の旋回空気流が、一部を除いて突出部１１Ａにより遮られることとなり、アクセス用開口部１０１からカートリッジケース１０内に流入することが抑制される。これにより、ドライブ装置Ｄの装填口Ｄ２に形成された隙間を通じて、仮に、塵埃がドライブ装置Ｄ内に流れ込んだとしても、これがアクセス用開口部１０１から記録ディスクカートリッジ１内に侵入することが抑制されるようになる。したがって、データの記録再生時にエラーが発生するのを好適に防止することができる。
【００５８】
突出部１１Ａにより、旋回空気流が、アクセス用開口部１０１に対して旋回空気流の上流側から旋回空気流の下流側へ迂回されるので、旋回空気流がアクセス用開口部１０１に流れるのをより一層効果的に抑制することができる。
【００５９】
以上、本発明の好適な実施形態について説明したが、本発明は前記実施形態に限定されるものではない。
例えば、前記実施形態で説明した突出部１１Ａは、図８に示すように、薄いシート状部材を形成して、これをアクセス用開口部１０１の周りに取り付けるように構成してもよい。ここで、シート状部材としては、金属材や合成樹脂材、その他の材料を用いることができる。
【００６０】
また、突出部１１Ａは、図９に示すように、アクセス用開口部１０１の開口縁部にのみ設けてもよい。この場合においても、記録ディスクメディア３０の回転によって生じるカートリッジケース１０の上面の旋回空気流が、突出部１１Ａにより遮られることとなり、ドライブ装置Ｄに入り込んだ塵埃が、アクセス用開口部１０１からカートリッジケース１０内に侵入することが抑制される。
【００６１】
また、突出部１１Ａは、アクセス用開口部１０１の開口縁部の全てに対して設ける構成に限られることはなく、図１０に示すように、少なくとも旋回空気流が流入する側（旋回空気流の上流側）１０１Ａに設けるようにしてもよい。
このような構成とすることにより、旋回空気流が流入する側で塵埃を効果的に抑制することができる。
【図面の簡単な説明】
【００６２】
【図１】本実施形態に係る記録ディスクカートリッジを示す斜視図であり、（ａ）は、この記録ディスクカートリッジの上側を見下ろした様子を示す図、（ｂ）は、この記録ディスクカートリッジの下側を見上げた様子を示す図である。
【図２】図１の記録ディスクカートリッジの分解斜視図である。
【図３】（ａ）は記録ディスクカートリッジの上側を後方から見下ろした様子を示す模式図、（ｂ）は、この記録ディスクカートリッジの模式平面図である。
【図４】図１の記録ディスクカートリッジを構成する下シェル及びハブ孔シャッタを取り外したときの記録ディスクカートリッジの下側の様子を示す図である。
【図５】図１の記録ディスクカートリッジを構成するロータリシャッタの斜視図であり、（ａ）は、ロータリシャッタの上側を見下ろした様子を示す図、（ｂ）は、ロータリシャッタの下側を見上げた様子を示す図である。
【図６】図１の記録ディスクカートリッジをドライブ装置に装填する際の記録ディスクカートリッジの動作を説明するための斜視図であり、記録ディスクカートリッジの下側を見上げた様子を示す図である。
【図７】図１の記録ディスクカートリッジをドライブ装置に装填した状態での空気の流れを説明する模式斜視図である。
【図８】図１の記録ディスクカートリッジの変形例を示す斜視図である。
【図９】図１の記録ディスクカートリッジの変形例を示す斜視図である。
【図１０】図１の記録ディスクカートリッジの変形例を示す斜視図である。
【図１１】（ａ）は、従来の記録ディスクカートリッジの上側を前方左側から見下ろした様子を示す図、（ｂ）は、この記録ディスクカートリッジを構成するロータリシャッタの分解斜視図である。
【符号の説明】
【００６３】
１    記録ディスクカートリッジ
２    シート状部材
１０    カートリッジケース
１１    突出部
１１    上シェル
１１Ａ  突出部
１１Ｂ  平坦部
１１Ｃ  段部
１２    下シェル
２０    ロータリシャッタ
２１    上シャッタ
２２    下シャッタ
３０    記録ディスクメディア
３１    フレキシブルディスク
１０１  アクセス用開口部
Ｄ    ドライブ装置
Ｄ２    装填口
【図１】
2007164945.tif 000003
【図２】
2007164945.tif 000004
【図３】
2007164945.tif 000005
【図４】
2007164945.tif 000006
【図５】
2007164945.tif 000007
【図６】
2007164945.tif 000008
【図７】
2007164945.tif 000009
【図８】
2007164945.tif 000010
【図９】
2007164945.tif 000011
【図１０】
2007164945.tif 000012
【図１１】
2007164945.tif 000013